(57)【要約】【課題】２以上のアンテナから構成される複数のアンテナ群ごとに通信を行う場合に、通信品質を向上させること。【解決手段】複数の移動局装置のいずれかを選択し、選択された移動局装置から送信される無線信号を、各移動局装置との通信に使用されていないアンテナ群である不使用アンテナ群の一部または全部に受信させる受信制御部３６と、選択された移動局装置との通信に使用中のアンテナ群で受信される信号の受信品質と不使用アンテナ群の一部または全部で受信される信号の受信品質をそれぞれ測定する受信品質測定部３８と、受信品質測定部３８により測定される各受信品質に応じて、選択された移動局装置との通信に使用するアンテナ群を決定するアンテナ群決定部４０と、アンテナ群決定部４０により決定されるアンテナ群を、選択された移動局装置との通信に割り当てるアンテナ割当部４２と、を含む。【選択図】図２
2008136089.tif 000002
【特許請求の範囲】
【請求項１】
複数のアンテナを備え、該複数のアンテナのうち２以上から構成される複数のアンテナ群の少なくとも一部それぞれに異なる周波数を用いて複数の移動局装置それぞれと通信を行う基地局装置であって、
前記複数の移動局装置のいずれかを選択し、該選択された移動局装置から送信される無線信号を、前記各移動局装置との通信に使用されていないアンテナ群である不使用アンテナ群の一部または全部に受信させる受信制御手段と、
前記選択された移動局装置との通信に使用中のアンテナ群で受信される信号の受信品質と前記不使用アンテナ群の一部または全部で受信される信号の受信品質をそれぞれ測定する受信品質測定手段と、
前記受信品質測定手段により測定される前記各受信品質に応じて、前記選択された移動局装置との通信に使用するアンテナ群を決定するアンテナ群決定手段と、
前記アンテナ群決定手段により決定されるアンテナ群を、前記選択された移動局装置との通信に割り当てるアンテナ割当手段と、
を含むことを特徴とする基地局装置。
【請求項２】
複数のアンテナを備え、該複数のアンテナのうち２以上から構成される複数のアンテナ群の少なくとも一部それぞれに異なる周波数を用いて複数の移動局装置それぞれと通信を行う基地局装置のアンテナ切替方法であって、
前記複数の移動局装置のいずれかを選択し、該選択された移動局装置から送信される無線信号を、前記各移動局装置との通信に使用されていないアンテナ群である不使用アンテナ群の一部または全部に受信させるステップと、
前記選択された移動局装置との通信に使用中のアンテナ群で受信される信号の受信品質と前記不使用アンテナ群の一部または全部で受信される信号の受信品質をそれぞれ測定する受信品質測定ステップと、
前記受信品質測定ステップで測定される前記各受信品質に応じて、前記選択された移動局装置との通信に使用するアンテナ群を決定するアンテナ群決定ステップと、
前記アンテナ群決定ステップで決定されるアンテナ群を、前記選択された移動局装置との通信に割り当てるステップと、
を含むことを特徴とするアンテナ切替方法。
【発明の詳細な説明】
【技術分野】
【０００１】
本発明は、基地局装置およびそのアンテナ切替方法に関し、特に、複数のアンテナを備え、それらのアンテナのうち２以上から構成される複数のアンテナ群の少なくとも一部それぞれに異なる周波数を用いて複数の移動局装置それぞれと通信を行う基地局装置およびそのアンテナ切替方法に関する。
【背景技術】
【０００２】
昨今、移動体通信システムにおいて、通信カバーエリアの拡大や通信チャネル数の増加が要請されている。これに対応するため、複数のアンテナと送受信部とを備える基地局装置を論理的に２以上の基地局装置（多局）に分割し、通信のカバーエリアとチャネル数を柔軟に変更する方式が採用されつつある。
【０００３】
たとえば、図５に示す２ｎ本のアンテナを等間隔サーキュラアレイアンテナ配置としたアダプティブアレイ基地局装置は、１の基地局装置としても動作し得るし、アンテナ２本を組み合わせて１の無線部を構成することにより最大ｎの基地局装置としても動作し得る。すなわち、図６ａ〜図６ｃのアダプティブアレイ基地局装置のブロック図に示すように、２ｎ本のアンテナそれぞれに接続される送受信部すべてに同一の局部発振信号を供給すれば、アンテナ２ｎ本で１の無線部を構成する「１−ＲＦモード」（図６ａ）で動作する。基地局装置を本モードで運用すれば、広範な通信カバーエリアを確保することができる。一方、送受信部４つごとに異なる局部発振信号を供給すればアンテナ４本で１の無線部を構成する「ｎ／２−ＲＦモード」（図６ｂ）で、また、送受信部２つごとに局部発振信号を供給すればアンテナ２本で１の無線部を構成する「ｎ−ＲＦモード」（図６ｃ）で、それぞれ動作する。基地局装置をこれらのモードで運用すれば、１−ＲＦモードに比べて、通信カバーエリアは縮小するものの、通信チャネル数がそれぞれ最大ｎ／２倍、ｎ倍に増加する。以下、基地局装置を論理的に複数の基地局装置として動作させるモードを「複数ＲＦモード」と称する。
【０００４】
なお、下記特許文献１には、複数のアンテナを備える基地局装置において、すべてのアンテナを用いて通信を行う「全アンテナモード（１−ＲＦモード）」で動作させる場合と、複数のアンテナを２以上のアンテナからなる複数のアンテナ群に分割しアンテナ群ごとに通信を行う「グループモード（複数ＲＦモード）」で動作させる場合とで、ローカル発振部と無線部との接続経路を変えることにより、送受信特性の劣化を防ぐ技術が開示されている。
【０００５】
また、下記特許文献２には、３本以上のアンテナからなるアダプティブアレイアンテナ装置において、受信信号のアンテナ相関値が最低となる２本のアンテナの組合せを用いて通信を行うことにより、装置規模の拡大を最小にしつつアダプティブアレイ受信性能を向上させる技術が開示されている。
【特許文献１】特開２００５−１２４０９６号公報
【特許文献２】特開２００４−２８９４０７号公報
【発明の開示】
【発明が解決しようとする課題】
【０００６】
しかし、上記従来の基地局装置を複数ＲＦモードで動作させると、各移動局装置との通信に用いるアンテナの本数が減少するだけでなく、これによりアンテナの指向性制御も制限されるため、送受信利得が大きく低下し、良好な通信品質を維持することが難しくなるという問題があった。このため、通信品質が所定レベル以上悪化すると、移動局装置はハンドオーバを行ってその劣化を防ぐ必要があった。
【０００７】
本発明は、上記従来の課題に鑑みてなされたものであり、２以上のアンテナから構成される複数のアンテナ群ごとに通信を行う場合に、通信品質を向上させることができる基地局装置およびそのアンテナ切替方法を提供することを目的とする。
【課題を解決するための手段】
【０００８】
上記目的を達成するために、本発明に係る基地局装置は、複数のアンテナを備え、該複数のアンテナのうち２以上から構成される複数のアンテナ群の少なくとも一部それぞれに異なる周波数を用いて複数の移動局装置それぞれと通信を行う基地局装置であって、前記複数の移動局装置のいずれかを選択し、該選択された移動局装置から送信される無線信号を、前記各移動局装置との通信に使用されていないアンテナ群である不使用アンテナ群の一部または全部に受信させる受信制御手段と、前記選択された移動局装置との通信に使用中のアンテナ群で受信される信号の受信品質と前記不使用アンテナ群の一部または全部で受信される信号の受信品質をそれぞれ測定する受信品質測定手段と、前記受信品質測定手段により測定される前記各受信品質に応じて、前記選択された移動局装置との通信に使用するアンテナ群を決定するアンテナ群決定手段と、前記アンテナ群決定手段により決定されるアンテナ群を、前記選択された移動局装置との通信に割り当てるアンテナ割当手段と、を含むことを特徴としている。
【０００９】
本発明によれば、各移動局装置との通信中に、それら各通信に使用されていないアンテナ群を用いて受信品質を測定するので、良好な受信品質が得られるアンテナ群を適宜特定することができる。このため、その測定結果に応じて随時アンテナ群に切り替えることにより、通信品質を向上させることができる。
【００１０】
また、本発明に係る基地局装置のアンテナ切替方法は、複数のアンテナを備え、該複数のアンテナのうち２以上から構成される複数のアンテナ群の少なくとも一部それぞれに異なる周波数を用いて複数の移動局装置それぞれと通信を行う基地局装置のアンテナ切替方法であって、前記複数の移動局装置のいずれかを選択し、該選択された移動局装置から送信される無線信号を、前記各移動局装置との通信に使用されていないアンテナ群である不使用アンテナ群の一部または全部に受信させるステップと、前記選択された移動局装置との通信に使用中のアンテナ群で受信される信号の受信品質と前記不使用アンテナ群の一部または全部で受信される信号の受信品質をそれぞれ測定する受信品質測定ステップと、前記受信品質測定ステップで測定される前記各受信品質に応じて、前記選択された移動局装置との通信に使用するアンテナ群を決定するアンテナ群決定ステップと、前記アンテナ群決定ステップで決定されるアンテナ群を、前記選択された移動局装置との通信に割り当てるステップと、を含むことを特徴としている。
【発明を実施するための最良の形態】
【００１１】
以下、本発明の一実施形態を図面に基づき詳細に説明する。
【００１２】
図１は、本発明の一実施形態に係る移動体通信システムの全体構成図である。同図に示すように、移動体通信システム１０は、基地局装置１２と複数の移動局装置１４（ここでは２つとする。）を含んで構成されている。
【００１３】
各移動局装置１４は、基地局装置１２と無線通信を行うものであり、たとえば可搬型の携帯電話機、携帯情報端末および通信カードである。ここでは、基地局装置１２とＴＤＤ（Time Division Duplex：時分割複信）方式によりデータの送受信を行い、またＴＤＭＡ（Time Division Multiple Access：時分割多重）方式により多重通信を行う。基地局装置１２は、後述するように、複数のアンテナとそれらアンテナにそれぞれ接続される同数の送受信部を備えている。そして、複数のアンテナのうち２以上から構成される複数のアンテナ群の少なくとも一部それぞれに異なるキャリア周波数を用いて各移動局装置１４と通信する。すなわち、２以上の送受信部ごとに異なるキャリア周波数を持つ局部発振信号を供給することにより、複数の無線部を構成する複数ＲＦモードで動作する。
【００１４】
基地局装置１２は、各移動局装置１４からの接続要求に応じて、複数のアンテナ群のうち通信に使用されていないアンテナ群のいずれかを当該各移動局装置１４との通信に割り当て、当該各移動局装置１４との通信を開始する。しかし、一旦通信が開始されても、各移動局装置１４と基地局装置１２との位置関係や電波環境などが大きく変化すると、通信品質が低下し通信が切断してしまう場合がある。
【００１５】
そこで、本実施形態に係る基地局装置１２は、各移動局装置１４と通信中に、それら各通信に使用されていないアンテナ群を用いて受信品質の測定を行い、良好な受信品質が得られるアンテナ群を適宜特定する。このため、通信に使用するアンテナ群を良好な受信品質が得られるアンテナ群に随時切り替えることにより、通信品質を向上させることができる。
【００１６】
以下では、上記処理を実現するために基地局装置１２が備える構成および動作についてより詳細に説明する。簡単のために、基地局装置１２は、８本のアンテナを備えており、アンテナ２本で構成される最大４つのアンテナ群それぞれに異なるキャリア周波数を用いて通信を行う「４−ＲＦモード」で動作する場合を例に挙げて説明する。
【００１７】
図２は、基地局装置１２のブロック図である。同図に示すように、基地局装置１２は、複数のアンテナ２０（ここでは８本とする。）、アンテナ・送受信部組合せ選択部２２、アンテナ２０と同数の送信部２６および受信部２８、複数の局部発振信号部３０（ここでは４つとする。）、ディジタル信号処理部３２、制御部３４、記憶部４４を含んで構成されている。なお、同図において、送受信部２５は１対の送信部２６と受信部２８および送受信切替スイッチを含む部分を示す。また、基地局装置１２が４−ＲＦモードで動作する場合、１つの局部発振信号部３０とそれに接続された２つの送受信部２５とを含む部分が１つの無線部２４に対応する。
【００１８】
アンテナ２０−１〜８は、その中で複数のアンテナ群を構成した場合に、各アンテナ群がなるべく異なる方向に指向性パターンを形成するように配置されている。たとえば、図５に示すように円周上に等間隔に並ぶように配置することができる。アンテナ８本のうち２本ずつを組み合せて各アンテナ群を構成する場合、２８の組合せの中から４つ以下のアンテナ群を随時構成するようにしてもよいし、予め４つのアンテナ群に分割しておいてもよい。これら各アンテナ群を構成するアンテナ２０の組合せは、後述する記憶部４４に予め記憶させておいてもよい。なお、本実施形態ではアンテナ本数を８本としたが、できるだけ多くの方向に指向性パターンを形成するためには、アンテナ本数を８本より多くする方が望ましい。
【００１９】
送信部２６は、ミキサ、フィルタ、パワーアンプを含んで構成されており、ディジタル信号処理部３２から入力されるベースバンド送信信号を局部発振信号部３０から供給される搬送波信号と乗算することにより無線信号に変換する。そして、無線信号を送信出力レベルにまで増幅して、当該送信部２６に接続されたアンテナ２０から放射する。
【００２０】
受信部２８は、ローノイズアンプ、ミキサ、フィルタを含んで構成されており、当該受信部２８に接続されたアンテナ２０で受信される無線信号を増幅し、増幅された信号を局部発振信号部３０から供給される搬送波信号と乗算することによりベースバンド受信信号に変換する。そして、ベースバンド受信信号をディジタル信号処理部３２に出力する。
【００２１】
なお、各送受信部２５において、送信部２６および受信部２８は、送受信切替スイッチを介してアンテナ２０と接続されており、送信および受信は時分割で（たとえばＴＤＭＡ／ＴＤＤフレーム周期の半分の周期で）切り替えられる。
【００２２】
局部発振信号部３０は、周波数シンセサイザを有しており、制御部３４からの制御信号に従って、周波数シンセサイザにより無線周波数帯の搬送波信号を生成し、送信部２６および受信部２８にそれぞれ供給する。本実施形態に係る基地局装置１２は、４つの局部発振信号部３０を備えているため、最大４つの無線部を構成して通信を行うことができる。すなわち、４つの局部発振信号部３０それぞれに異なる周波数の搬送波信号を生成させることにより、基地局装置１２は２つの送受信部２５で１つの無線部２４（アンテナ２本で１つのアンテナ群）を構成する４−ＲＦモードで動作する。なお、本実施形態では説明を省略するが、基地局装置１２を２−ＲＦモードや１−ＲＦモードで動作させることは可能である。たとえば、４つの局部発振信号部３０すべてに同一周波数の搬送波信号を生成させれば、基地局装置１２を８つの送受信部２５で１つの無線部を構成する１−ＲＦモードで動作させることができる。
【００２３】
アンテナ・送受信部組合せ選択部２２は、制御部３４（受信制御部３６、アンテナ割当部４２）からの制御信号に従って、８本のアンテナ２０と８つの送受信部２５の中からアンテナ２０と送受信部２５との組合せを選択し、それらを相互に接続するものである。基地局装置１２が４−ＲＦモードで動作する場合、４つの無線部２４それぞれに２本のアンテナで構成される４つのアンテナ群のいずれを接続させるかを選択し、選択したアンテナ群を構成する２本のアンテナを選択した無線部２４に含まれる２つの送受信切替スイッチにそれぞれ接続する。前述のとおり、８本のアンテナは２本のアンテナを組わ合せて構成される４つのアンテナ群が互いに異なる指向性パターンを形成するように配置されているので、アンテナ・送受信部組合せ選択部２２に選択させる組合せを変えるだけで、各移動局装置１４との通信に適用する指向性パターンを変更することができる。
【００２４】
ディジタル信号処理部３２は、接続される送受信部２５と同数のＤ／Ａコンバータ、Ａ／Ｄコンバータ、およびＤＳＰ（Digital Signal Processor）を含んで構成されており、図示しない上位装置との間で送受信データを送受信するとともに、送受信部２５との間でベースバンド信号を送受信する。具体的には、各ＤＳＰにおいて、上位装置から入力される複数の送信データを時分割してＴＤＭＡ／ＴＤＤフレームにおける各タイムスロットに割り当て、各タイムスロットに割り当てた送信データに所定の変調処理を施してディジタル変調信号を生成する。そして、Ｄ／Ａコンバータによりディジタル変調信号をベースバンド送信信号に変換し、対応する送信部２６に出力する。また、対応する受信部２８から入力されるベースバンド受信信号をＡ／Ｄ変換後、タイムスロットごとに所定の復調処理を施し、復調された受信信号を上位装置に出力する。
【００２５】
なお、アンテナ群ごとに（無線部２４ごとに）アダプティブアレイアンテナを構成する場合には、ディジタル信号処理部３２は、各ＤＳＰは対応するアンテナ２０のウェイトを算出し、ベースバンド信号に対して算出したウェイトを乗算する処理をさらに施すものとする。また、アンテナ群ごとにダイバーシティ受信を行う場合には、各アンテナ群を構成するアンテナ２０による受信信号の中から最良の受信特性を有する受信信号を選択する処理、あるいは、各アンテナ群を構成するアンテナ２０による受信信号を最大比合成する処理をさらに施すものとする。
【００２６】
制御部３４は、ＣＰＵ（Central Processing Unit：中央処理装置）およびメモリを含んで構成されており、基地局装置１２全体の制御を行う。機能的には、受信制御部３６、受信品質測定部３８、アンテナ群決定部４０、アンテナ割当部４２を含んでおり、複数ＲＦモードの動作制御、各移動局装置１４との通信に使用するアンテナの割り当て、各アンテナ群で受信される信号の受信品質の測定などを行う。なお、上記の機能は、ＣＰＵがメモリに記憶される各種制御プログラムを実行することによって実現される。
【００２７】
受信制御部３６は、通信中の移動局装置１４のうちいずれかを選択し、選択された移動局装置１４（以下「測定対象移動局装置」という。）から送信される無線信号を、各移動局装置１４との通信に使用されていないアンテナ群（以下「不使用アンテナ群」という。）の一部または全部に受信させるものである。具体的には、通信開始直後の移動局装置１４や受信データのＢＥＲ（Bit Error Rate：ビット誤り率）が所定閾値を超えた移動局装置１４などを測定対象移動局装置として選択する。また、記憶部４４に記憶されるアンテナ２０の割り当て状況を参照して不使用アンテナ群を特定し、その一部または全部を受信品質の測定用として選出する。たとえば、２つのアンテナ群（アンテナ４本）が通信に使用されている場合、残るアンテナ４本のうち２本を組み合わせて構成される最大６つの不使用アンテナ群の中から測定用の不使用アンテナ群を選出する。そして、選出された各不使用アンテナ群を使用されていない受信部２８にそれぞれ接続するようアンテナ・送受信部組合せ選択部２２に指示を出すとともに、それら各不使用アンテナ群が接続された受信部２８に測定対象移動局装置との通信に使用しているキャリア周波数と同一の周波数を持つ搬送波信号を供給するよう対応する局部発振信号部３０を制御する。こうして、測定対象移動局装置から送信される無線信号を、当該測定対象移動局装置に割り当てられたタイムスロットにおいて、一部または全部の不使用アンテナ群に順次または同時に受信させる。それら各不使用アンテナ群により受信された信号は、ディジタル信号処理部３２を介して受信品質測定部３８に出力される。
【００２８】
受信品質測定部３８は、ディジタル信号処理部３２から入力される各アンテナ群による受信信号に基づいて、測定対象移動局装置との通信に使用中のアンテナ群で受信される信号の受信品質と不使用アンテナ群の一部または全部で受信される信号の受信品質をそれぞれ測定するものである。たとえば、受信品質の指標値として、各アンテナ群による受信信号強度（ＲＳＳＩ：Receive Signal Strength Indication）の１タイムスロット分の平均値P_ave、または当該タイムスロットにおけるＲＳＳＩの最大値をP_peakとしたときに次式で示されるＲＳＳＩピーク係数P_pを用いることができる。
【００２９】
【数１】
2008136089.tif 000003
【００３０】
こうすれば、測定対象移動局装置との通信に適したアンテナ群を少ない処理時間で特定することができる。また、受信品質の指標値として、受信信号のＣＩＮＲ（Carrier to Interference and Noise Ratio：搬送波対干渉および雑音電力比）、ＣＩＲ（Carrier to Interference Ratio：搬送波対干渉電力比）、ＣＮＲ（Carrier to Noise Ratio：搬送波対雑音電力比）、ＳＩＮＲ（Signal to Interference and Noise Ratio：信号対干渉波および雑音電力比）、ＳＩＲ（Signal to Interference Ratio：信号対干渉波電力比）、ＳＮＲ（Signal to Noise Ratio：信号対雑音電力比）などを用いてもよい。なお、受信品質測定部３８は、これらの受信品質の指標値を、当該測定に用いたアンテナ群の識別情報に関連づけて記憶部４４に記憶させてもよい。
【００３１】
アンテナ群決定部４０は、受信品質測定部３８により測定される各受信品質に応じて、測定対象移動局装置との通信に使用するアンテナ群を決定するものである。たとえば、受信品質測定部３８がＲＳＳＩ平均値を測定する場合、アンテナ決定部４０は、ＲＳＳＩ平均値の最大値を与えるアンテナ群を測定対象移動局装置との通信に使用するアンテナ群とする。こうすれば、より大きな受信電力が得られるアンテナ群を用いて通信を継続することが可能となり、通信品質を向上させることができる。一方、受信品質測定部３８がＲＳＳＩピーク係数を測定する場合、アンテナ決定部４０は、ＲＳＳＩピーク係数の最小値を与えるアンテナ群を測定対象移動局装置との通信に使用するアンテナ群とする。こうすれば、受信電力の変動がより少ない、すなわちフェージングの影響をより受けにくいアンテナ群を用いて通信を継続することが可能となり、通信品質を向上させることができる。
【００３２】
アンテナ割当部４２は、各移動局装置１４からの接続要求に応じて、不使用アンテナ群のいずれかを当該各移動局装置１４との通信に割り当てる。具体的には、不使用アンテナ群のいずれかを当該各移動局装置１４との通信に割り当てるよう、アンテナ・送受信組合せ選択部２２およびディジタル信号処理部３２その他に指示を出す。
【００３３】
通信開始後は、所定のタイミングで受信品質測定部３８により上記測定が実施される。この場合に、アンテナ割当部４２は、アンテナ群決定部４０により決定されるアンテナ群を測定対象移動局装置との通信に割り当てる。具体的には、アンテナ群決定部４０により決定されるアンテナ群がすでに測定対象移動局装置との通信に使用されているものと同じであれば、アンテナの割り当ては変更しない。一方異なるものであれば、測定対象移動局装置との通信に使用するアンテナ群をアンテナ群決定部４０により決定されるアンテナ群に切り替えるよう、アンテナ・送受信部組合せ選択部２２に指示する。なお、アンテナ群を切り替える場合に、アンテナ群だけでなく、上記測定において当該アンテナ群に接続されていた送受信部２５から上位装置の手前までの一連の回路ごと切り替えるようにしてもよい。こうして、通信に使用するアンテナ群をより良好な受信品質が得られるアンテナ群に随時切り替えることにより、測定対象移動局装置との通信品質を向上させることができる。
【００３４】
記憶部４４は、たとえばメモリを含んで構成されており、複数ＲＦモードの種別に応じて適用されるアンテナ２０の組合せ（アンテナ群の構成パターン）、アンテナ２０の割り当て状況、受信品質測定部３８による受信品質の測定結果などを記憶するものである。図３は、記憶部４４の一例を示す図である。同図に示すように、記憶部４４は、アンテナ群の識別番号に関連づけて、当該アンテナ群を構成するアンテナ２０の組合せパターン、アンテナ群の割り当て状況、および当該アンテナ群による受信品質を示すＲＳＳＩ平均値やピーク係数などを記憶する。
【００３５】
ここで、基地局装置１２の動作について説明する。図４は、基地局装置１２における通信中のアンテナ切替処理の一例を示すフロー図である。本処理は、通信開始直後もしくは所定周期ごとに、または受信データのＢＥＲが所定閾値を超えた場合などに実行される。また、測定対象移動局装置が選択された状態で開始される。なお、本実施形態では、基地局装置１２は４−ＲＦモードで動作しており、通信途中で動作モードを変更することはないものとする。
【００３６】
本処理が開始されると、受信制御部３６は、記憶部４４に記憶されるアンテナ２０の割り当て状況を参照して不使用アンテナ群を特定し（Ｓ１００）、その一部または全部を受信品質の測定用として選出する（Ｓ１０２）。Ｓ１０２で選出された不使用アンテナ群の組合せに応じて、以下Ｓ１０８までの処理は順次または同時に実行される。
【００３７】
受信制御部３６は、Ｓ１０２で選出された各不使用アンテナ群を、使用されていない受信部２８にそれぞれ接続するようアンテナ・送受信部組合せ選択部２２に指示を出すとともに、それら各不使用アンテナ群が接続された受信部２８に測定対象移動局装置との通信に使用しているキャリア周波数と同一の周波数を持つ搬送波信号を供給するよう対応する局部発振信号部３０を制御する。
【００３８】
次に、受信品質測定部３８は、測定対象移動局装置に割り当てられたタイムスロットにおいてディジタル信号処理部３２から入力される各アンテナ群による受信信号に基づいて、測定対象移動局装置との通信に使用中のアンテナ群で受信される信号の受信品質とＳ１０２で選出された各不使用アンテナ群で受信される信号の受信品質をそれぞれ測定し記録する。すなわち、上記各アンテナ群で受信される信号のＲＳＳＩを測定し（Ｓ１０４）、当該タイムスロットにおけるＲＳＳＩの平均値を算出する（Ｓ１０６）。そして、算出されたＲＳＳＩ平均値を対応するアンテナ群の識別情報に関連づけて、記憶部４４に保存する（Ｓ１０８）。
【００３９】
Ｓ１０２で選出されたすべての不使用アンテナ群についてＳ１０４〜１０８の測定処理が完了すると、アンテナ決定部４０は、Ｓ１０８で記録されたＲＳＳＩ平均値の中で最大値を与えるアンテナ群を測定対象移動局装置との通信に使用するアンテナ群として決定する。そして、アンテナ割当部４２は、アンテナ群決定部４０により決定されるアンテナ群を測定対象移動局装置との通信に割り当てる（Ｓ１１０）。
【００４０】
以上説明した基地局装置１２によれば、複数ＲＦモードにて各移動局装置１４と通信中に、それら各通信に使用されていないアンテナ群を用いて受信品質の測定を行い、その受信結果に応じて随時アンテナ群を切り替えるので、通信品質を向上させることができる。
【００４１】
なお、本発明は、上記実施形態に限定されるものではなく、種々の変形実施が可能である。たとえば、以上の説明では、ＴＤＭＡ／ＴＤＤ方式を移動体通信システムに本発明を適用したが、本発明は、その他の通信方式を採用する移動体通信システムにも適用可能である。
【００４２】
また、上記実施形態では、局部発振信号部３０と送受信部２５との接続を固定し、アンテナ２０と送受信部２５との接続を可変としたが、逆に、局部発振信号部３０と送受信部２５との接続を可変とし、アンテナ２０と送受信部２５との接続を固定してもよいし、両接続をいずれも可変としてもよい。
【図面の簡単な説明】
【００４３】
【図１】本発明の実施の形態に係る移動体通信システムの構成図である。
【図２】本発明の実施の形態に係る基地局装置のブロック図である。
【図３】記憶部の一例を示す図である。
【図４】基地局装置におけるアンテナ切替処理の一例を示すフロー図である。
【図５】等間隔サーキュラアレイアンテナ配置を採用したアダプティブアレイ基地局装置を示す図である。
【図６ａ】アダプティブアレイ基地局装置のブロック図である。
【図６ｂ】アダプティブアレイ基地局装置のブロック図である。
【図６ｃ】アダプティブアレイ基地局装置のブロック図である。
【符号の説明】
【００４４】
１０  移動体通信システム、１２  基地局装置、１４  移動局装置、２０  アンテナ、２２  アンテナ・送受信部組合せ選択部、２４  無線部、２５  送受信部、２６  送信部、２８  受信部、３０  局部発振信号部、３２  ディジタル信号処理部、３４  制御部、３６  受信制御部、３８  受信品質測定部、４０  アンテナ群決定部、４２  アンテナ割当部、４４  記憶部。
【図１】
2008136089.tif 000004
【図２】
2008136089.tif 000005
【図３】
2008136089.tif 000006
【図４】
2008136089.tif 000007
【図５】
2008136089.tif 000008
【図６ａ】
2008136089.tif 000009
【図６ｂ】
2008136089.tif 000010
【図６ｃ】
2008136089.tif 000011